(57)【要約】【課題】  木造建築を始めとする各種木構造において、部材同士の連結部で用い、部材への埋め込み作業が容易で、また安全性にも優れた埋設具を提供すること。【解決手段】  埋設具１１は、水平材５１などの部材に形成された下穴５２に埋め込む棒状で、円柱形の胴体２３の側周面から突出し且つ螺旋状に伸びる凸条２５を有するスクリュー部分２１と、下穴５２の中に充填された接着剤Ａによって部材と一体化する係留軸部分３１と、が同心で直列状に一体化しており、さらに、ボルト８６を螺合させるための雌ネジ２６などを設ける。スクリュー部分２１と係留軸部分３１を一体化することで、スクリュー部分２１の直径や延長を増大させることなく強度を向上でき、しかも新たな設備投資をすることなく埋め込み作業を実施できる。また両部分は性質が異なり冗長性が確保され、極限状態においても一定の安全性を維持できる。【選択図】      図１
2015101902.tif 000002
【特許請求の範囲】
【請求項１】
部材（４１、５１）同士の連結部で用い、該部材（４１又は５１）に形成された下穴（５２又は４２）に埋め込む棒状の埋設具であって、
円柱形の胴体（２３）の側周面から突出し且つ螺旋状に伸びる凸条（２５）を有するスクリュー部分（２１）と、
前記下穴（５２又は４２）の中に充填された接着剤（Ａ）によって前記部材（４１又は５１）と一体化する係留軸部分（３１）と、
が同心で直列状に一体化してあり、且つその中心には雌ネジ（２６）又は貫通孔（２８）又は雄ネジ（２２）を設けてあることを特徴とする埋設具。
【請求項２】
前記スクリュー部分（２１）と前記係留軸部分（３１）は別途に製造して、
双方の境界面には、一対の雌ネジ（２７、３７）または一対の雄ネジ（２９）と雌ネジ（３７）を設け、該一対の雌ネジ（２７、３７）をスタッドボルト（８８）で引き寄せるか、または該一対の雄ネジ（２９）と雌ネジ（３７）を螺合させ、
該スクリュー部分（２１）と該係留軸部分（３１）を一体化することを特徴とする請求項１記載の埋設具。
【請求項３】
前記貫通孔（２８）を設けた場合において、前記係留軸部分（３１）の根元付近には、該貫通孔（２８）と外部とを連通する排気孔（３９）を設けたことを特徴とする請求項１記載の埋設具。
【発明の詳細な説明】
【技術分野】
【０００１】
本発明は、木造建築を始めとする各種木構造において、部材同士の連結部で用いる埋設具に関する。
【背景技術】
【０００２】
木造建築は、住宅などの比較的小規模な建物を中心に普及してきた。しかし近年は、集成材の製造技術の向上に伴い、大断面の部材を無理なく入手できるようになり、また木材を鉄骨のように組み上げる門型フレーム構法などの技術開発が進み、木造建築の大型化が妥当なコストで実現できるようになった。この大型化に際しては、部材同士の連結部の剛性を一段と高める必要があり、金属製のラグスクリューやシャフトを部材の中に埋め込むことが多い。ラグスクリューは、通常の木ネジよりも大径であり、埋め込みには相応の設備が必要となる。
【０００３】
門型フレーム構法の例として後記特許文献１が挙げられる。この文献では、大断面の縦材と横材を連結するため、基本金物と付属金物からなる一対の金物を使用しており、さらに金物を縦材や横材に固定するため、縦材の側面および横材の端面にラグスクリュー（取付具）を埋め込んでいる。ラグスクリューを用いることで、縦材や横材に作用する応力が緩和されるほか、木材の経年変形の影響も受けにくくなり、連結部の剛性を長期間維持できる。
【０００４】
またラグスクリューの使用例として後記特許文献２が挙げられる。この文献では、二本の柱をつなぐ技術が開示されており、美観を向上するため、連結に関与する全ての部品を内部に埋め込むことを特徴としている。詳細には、連結される二部材のうち、一方の端面にはラグスクリューを埋め込み、他方の端面には異形棒鋼を埋め込み、ラグスクリューと異形棒鋼をスタッドボルトで引き寄せ、二部材を一体化している。なお施工時は、同心で対向するラグスクリューと異形棒鋼をスタッドボルトで引き寄せた後、異形棒鋼を接着剤で部材に固定する。
【０００５】
そのほか、ラグスクリューの埋め込み方法の例として後記特許文献３が挙げられる。この文献では、ラグスクリューを用いた構造部材同士の連結部について、粗質な木材を使用した場合でも、ラグスクリューの緩みを阻止できる方法が開示されている。詳細には、まずドリルで部材に下孔を加工して、次に、下孔にタップを差し込み、その内周を雌ネジ状に加工する。その後、下孔の内部に接着剤を注入して、さらに、下孔にラグスクリューをねじ込んでいくと、下孔（タップ抜け孔）とラグスクリューが螺合するほか、ラグスクリューと下孔との隙間には接着剤が充満する。そのためラグスクリューは、不動状態で部材に固定される。
【先行技術文献】
【特許文献】
【０００６】
【特許文献１】特開２００７−１３２１６８号公報
【特許文献２】特開２０１２−７７５４５号公報
【特許文献３】特開２０１３−４４３４５号公報
【発明の概要】
【発明が解決しようとする課題】
【０００７】
建築物の強度設計をする際は、自重などに基づく長期荷重や、地震や暴風といった突発的要因に基づく短期荷重のほか、経年による腐食など、様々な要因を考慮する必要がある。国内おいては、大規模な地震の可能性が指摘されているほか、大型台風や竜巻も発生しており、より高い安全性を確保するため、短期荷重を一段と厳しく見積もる傾向がある。そのため、部材同士の連結部で用いるラグスクリューについても、重要箇所を中心に直径や延長を増大させて、引抜荷重に対する耐力を向上させる場合がある。しかしラグスクリューを長大化することで、埋め込みの際、部材との摩擦も増大するため、従来の設備では作業が困難になり、何らかの改善策が求められている。
【０００８】
また安全性の観点から、近年、建築分野においても「フェールセーフ」の思想が導入されており、部材同士の連結部で用いる各種金物についても、特異な要因で本来の機能が発揮できなくなった場合でも、何らかのバックアップによって連結部の破損を食い止め、必要最低限の安全性を維持できる対策が待ち望まれている。
【０００９】
本発明はこうした実情を基に開発されたもので、木造建築を始めとする各種木構造において、部材同士の連結部で用い、部材への埋め込み作業が容易で、また安全性にも優れた埋設具の提供を目的としている。
【課題を解決するための手段】
【００１０】
前記の課題を解決するための請求項１記載の発明は、部材同士の連結部で用い、該部材に形成された下穴に埋め込む棒状の埋設具であって、円柱形の胴体の側周面から突出し且つ螺旋状に伸びる凸条を有するスクリュー部分と、前記下穴の中に充填された接着剤によって前記部材と一体化する係留軸部分と、が同心で直列状に一体化してあり、且つその中心には雌ネジ又は貫通孔又は雄ネジを設けてあることを特徴とする埋設具である。
【００１１】
本発明による埋設具は、部材同士の連結部において、部材の端面や側面に加工された円断面の下穴に埋め込まれ、これとボルトや金物などを組み合わせ、部材同士の連結を実現する。仮に、部材同士をボルトで連結する場合、一方の部材に埋設具を埋め込み、この埋設具に向けて他方の部材からボルトを差し込み、部材同士を引き寄せる。また部材に金物を取り付ける場合、埋設具はその基礎となり、金物と部材を緩みなく一体化する。なお埋設具は金属製の棒状で、大別してスクリュー部分と係留軸部分で構成される。
【００１２】
スクリュー部分は、従来のラグスクリューと同じ形状で、円柱形の胴体と、その側周面から半径方向に突出する凸条で構成され、凸条は、胴体を螺旋状に取り囲んでいる。なお、部材に加工する下穴は、胴体を無理なく差し込み可能で、且つ凸条が部材の中に食い込むよう、内径を調整する。そのため埋設具を埋め込む際は、埋設具の一端を下穴に差し込んだ後、スパナなどの工具を掛けて回転を与え、凸条を徐々に部材の中に食い込ませていく。食い込んだ凸条は、部材との間で大きな摩擦が発生して、全体が不動状態で固定される。
【００１３】
係留軸部分は、下穴の中に充填された接着剤によって部材と一体化する。そのため、係留軸部分と下穴との境界には、接着剤が入り込む程度の隙間を確保することが好ましい。なお係留軸部分は、単純な円柱形とすることもできるが、軸線方向の荷重に対する強度を確保するため、側周面に何らかの凹凸を設けることが多い。また接着剤は、あらかじめ係留軸部分に塗布することもできるが、部材の表面から下穴につながる孔を加工して、そこから注入することもできる。
【００１４】
スクリュー部分と係留軸部分は、同心且つ直列に並ぶ。そのため、一端側がスクリュー部分で、他端側が係留軸部分となる。しかも両部分は、部材の中に埋め込む前の段階で、一体化されていることを前提とする。またスクリュー部分を埋め込む際は、相応のねじり荷重が作用するが、これに耐えられるよう、各部の強度を確保する。そのほか下穴の内径は、作業性の観点から、スクリュー部分と係留軸部分の全域で同一とすべきだが、事情があれば差を設けても構わない。
【００１５】
埋設具の中心には、雌ネジまたは貫通孔または雄ネジを設ける。雌ネジは、ボルトの軸部を螺合させるためのもので、一端面の中心または両端面の中心に形成する。また貫通孔は、ボルトの軸部を差し込むためのもので、埋設具の中心に位置して、両端面を結んでいる。そして雄ネジは、ナットを螺合させるためのもので、一端面の中心または両端面の中心に形成する。なお貫通孔の内径を調整することで、貫通孔の端部に雌ネジを形成することもできる。そのほか一端面の中心に雌ネジを形成して、他端面の中心に雄ネジを形成することもできる。
【００１６】
このように、一本の埋設具において、スクリュー部分と係留軸部分といった性質の異なる二要素を一体化することで、スクリュー部分の直径や延長を増大させることなく、全体としての強度を向上できるため、長期荷重のほか、短期荷重に対しても十分な余裕が確保され、建築物の安全性を向上できる。さらに、スクリュー部分の直径や延長を増大しないことから、埋め込みの際の手間は従来と変わらず、新たな設備投資などは不要で、無理なく作業を進めることができる。またスクリュー部分と係留軸部分を一体化することで、冗長性が確保され、極限状態においても、一定の安全性を維持できる。
【００１７】
請求項２記載の発明は、埋設具の構造を限定したもので、スクリュー部分と係留軸部分は別途に製造して、双方の境界面には、一対の雌ネジまたは一対の雄ネジと雌ネジを設け、該一対の雌ネジをスタッドボルトで引き寄せるか、または該一対の雄ネジと雌ネジを螺合させ、該スクリュー部分と該係留軸部分を一体化することを特徴とする。スクリュー部分と係留軸部分は、一体で製造することもできるが、本発明のように、それぞれを別途に製造した後、双方を一体化することもできる。
【００１８】
スクリュー部分と係留軸部分を別途に製造することで、既存品の流用が容易になり、製造原価の抑制を期待できる。なおスクリュー部分と係留軸部分は、溶接で一体化することもできるが、両部分を狂いなく同心に揃えることが難しく、さらに熱による変形も避けられない。しかし本発明のように、対向する雌ネジ同士をスタッドボルトで引き寄せるか、または雄ネジと雌ネジを螺合させて、スクリュー部分と該係留軸部分を一体化することで、一連の作業が容易になり、精度も確保しやすい。
【００１９】
請求項３記載の発明は、接着剤の充填を考慮した埋設具に関するもので、貫通孔を設けた場合において、係留軸部分の根元付近には、該貫通孔と外部とを連通する排気孔を設けたことを特徴とする。係留軸部分を固定する接着剤は、何らかの手段で下穴の中に供給する必要がある。この供給手段は様々だが、貫通孔を設けた埋設具の場合、部材に埋め込んだ後、注射器状の充填器を用い、その注射針を貫通孔に差し込み、下穴の奥から接着剤を吐出することがある。
【００２０】
その際、下穴と係留軸部分との隙間の空気は、接着剤で押し出されるが、下穴の入り口付近はスクリュー部分で塞がれており、空気の逃げ道がない。そこで係留軸部分の根元付近には、貫通孔につながる排気孔を設けることで、押し出された空気を貫通孔から外部に放出でき、係留軸部分の側周面全体に接着剤を充填させることができる。なお係留軸部分の根元付近とは、係留軸部分において、スクリュー部分との境界近傍を意味する。
【発明の効果】
【００２１】
請求項１記載の発明のように、一本の埋設具をスクリュー部分と係留軸部分で構成することで、スクリュー部分の長大化を伴うことなく、引抜荷重に対する耐力を向上でき、突発的な短期荷重に対しても十分な余裕が確保され、建築物などの安全性の向上に貢献する。さらにスクリュー部分の長大化が回避されることで、従来の設備でも無理なく埋め込み作業が可能で、施工業者などに新たな負担を強いることもない。
【００２２】
スクリュー部分と係留軸部分といった性質の異なる二要素を一体化することで、冗長性を確保できる。そのため不測の要因により、一方の部分が本来の機能を発揮できなくなった場合でも、他方の部分によってある程度の強度は維持され、安全性が一段と向上する。
【００２３】
請求項２記載の発明のように、スクリュー部分と係留軸部分を別途に製造して、これらを雌ネジやスタッドボルトや雄ネジの螺合で一体化することで、既存品の流用が容易になり、製造原価の抑制を期待できる。しかも、スクリュー部分と係留軸部分を一体化する作業は、単純なねじ込みだけでよく、容易に実施できるほか、スクリュー部分と係留軸部分を無理なく同心に揃えることができる。
【００２４】
請求項３記載の発明のように、貫通孔を設けた埋設具において、係留軸部分の根元付近には、貫通孔と外部とをつなぐ排気孔を設けることで、貫通孔に注射針を差し込み、下穴の奥から接着剤を充填する場合でも、下穴と係留軸部分との隙間に残る空気を貫通孔から外部に放出可能で、係留軸部分の側周面全体に無理なく接着剤を充填できる。
【図面の簡単な説明】
【００２５】
【図１】本発明による埋設具の形状例と使用例を示す斜視図で、垂直材と水平材をＬ字状に連結するため、水平材の端面に埋設具を埋め込んでいる。
【図２】図１の垂直材と水平材を連結した状態を示す斜視図と縦断面図である。
【図３】本発明による埋設具と併せて、金物を用いる連結部の構成例を示す斜視図である。
【図４】図３の垂直材と水平材を連結した状態を示す斜視図と縦断面図である。
【図５】スクリュー部分と係留軸部分を別途に製造した後、これらをスタッドボルトで一体化した埋設具を示す斜視図である。
【図６】スクリュー部分と係留軸部分を別途に製造した後、これらを雄ネジと雌ネジで一体化した埋設具を示す斜視図である。
【図７】埋設具の形状例とその施工時の状況を示す斜視図で、埋設具の係留軸部分にはラセン溝を形成してあるほか、中心には、両端面を結ぶ貫通孔を設けてある。
【図８】これまでとは異なる二種類の埋設具を示す斜視図である。図の上方に示す埋設具は、貫通孔の両端部に雌ネジを形成してある。また図の下方に示す埋設具は、係留軸部分にローレット目を形成してある。
【発明を実施するための形態】
【００２６】
図１は、本発明による埋設具１１の形状例と使用例を示している。ここで描かれた垂直材４１と水平材５１は、いずれも木材（ムク材のほか各種集成材も含む）で、上下に伸びる垂直材４１の側面と、横に伸びる水平材５１の端面を接触させて、双方をＬ字状に連結する。そのため垂直材４１にはラグスクリュー６１を埋め込み、また水平材５１には埋設具１１を埋め込み、これらをボルト８６で引き寄せ、垂直材４１と水平材５１を一体化する。
【００２７】
垂直材４１に埋め込むラグスクリュー６１は汎用品で、その側周面には螺旋状に伸びる凸条６５を形成してある。またその中心には、ボルト８６の軸部を差し込むため、中孔６３が貫通しており、さらに一端面には、埋め込みの際にスパナなどの工具を掛けるため、六角形の頭部６４を形成してある。そのほか垂直材４１には、ラグスクリュー６１を埋め込むため、あらかじめ側面孔４３を加工してある。側面孔４３は、両面を貫通しており、しかも凸条６５が食い込むことのできる内径である。
【００２８】
埋設具１１は、図の左寄りのスクリュー部分２１と右寄りの係留軸部分３１で構成され、水平材５１の端面に加工された下穴５２の中に埋め込まれる。スクリュー部分２１は、垂直材４１に埋め込むラグスクリュー６１と同様の形状で、円柱形の胴体２３の側周面には、半径方向に突出し且つ螺旋状に伸びる凸条２５を形成してあるほか、埋め込みの際に工具を掛けるため、頭部２４を形成してある。また端面中心には、ボルト８６の先端を螺合させるため、雌ネジ２６を設けてある。
【００２９】
係留軸部分３１は、接着剤Ａを介して水平材５１と一体化される部分で、単純な円柱形を基調としているが、接着剤Ａとの摩擦を増大できるよう、一定の間隔で環状溝３３を形成してある。さらに係留軸部分３１は、接着剤Ａの流動を確保するため、スクリュー部分２１の胴体２３よりも小径としてある。なおこの図の埋設具１１は、一本の金属棒を素材として、切削や転造などの工程を経て製品化され、スクリュー部分２１と係留軸部分３１など、全てが一体化されている。
【００３０】
下穴５２の内径は、スクリュー部分２１の胴体２３よりもわずかに大きくしてある。そのため凸条２５は、下穴５２の内周を削りながら水平材５１の中に食い込み、双方の摩擦によって埋設具１１は緩みなく固定される。対して係留軸部分３１は、胴体２３よりも小径で、下穴５２と接触することなく隙間が生じ、そこに接着剤Ａを充填する。また下穴５２は、埋設具１１の全体を収容可能な延長としてある。
【００３１】
接着剤Ａは、埋設具１１を下穴５２に埋め込んだ後に充填するが、その際、下穴５２の入り口はスクリュー部分２１で塞がれており、そこから接着剤Ａを充填することはできない。そのため水平材５１の側面には、下穴５２につながる小孔５４を加工してあり、ここから接着剤Ａを送り込む。なお、接着剤Ａで押し出された空気を外部に排出するため、小孔５４は、一本の下穴５２に対して二本加工してある。さらに小孔５４は、機能を正しく発揮できるよう、埋め込まれた係留軸部分３１の両端付近に達するよう配置してある。
【００３２】
そのほかこの図では、ラグスクリュー６１と埋設具１１とボルト８６を上下に二組配置してあり、側面孔４３や下穴５２も上下二箇所に加工してある。また側面孔４３と下穴５２は、同心で揃うように加工してあり、しかもラグスクリュー６１と埋設具１１は、施工後、端面同士が接触するよう、埋め込み深さを調整する。
【００３３】
図２は、図１の垂直材４１と水平材５１を連結した状態である。垂直材４１の側面孔４３にはラグスクリュー６１が埋め込まれ、水平材５１の下穴５２には埋設具１１が埋め込まれ、さらにラグスクリュー６１の中孔６３に差し込んだボルト８６は、埋設具１１の雌ネジ２６に螺合している。そのため、ラグスクリュー６１と埋設具１１が引き寄せられ、双方の端面同士が接触するほか、垂直材４１と水平材５１も密着して、Ｌ字状の連結部が構成される。なお埋設具１１などは、上下に二組配置してあるほか、ボルト８６の頭部は、垂直材４１の側面から突出することなく、側面孔４３の中に収容されている。
【００３４】
ラグスクリュー６１は、凸条６５だけで垂直材４１に固定されているが、埋設具１１は、凸条２５のほか接着剤Ａでも水平材５１に固定されている。接着剤Ａは、係留軸部分３１と下穴５２との隙間に埋め尽くすように充填され、単独でも応分の引抜荷重を受け止めることができる。なお、実際に連結部を設計する際は、埋設具１１のスクリュー部分２１だけで長期荷重を受け止め可能として、より突発的で過大な短期荷重に対しては、スクリュー部分２１と係留軸部分３１の両方で受け止める構造とする。これにより、荷重条件の厳しい連結部においても、スクリュー部分２１を無理に長大化する必要がなくなり、埋設具１１の埋め込み作業を円滑に実施できる。
【００３５】
図３は、本発明による埋設具１２と併せて、金物を用いる連結部の構成例を示している。図１の埋設具１１は、部材同士の連結を担うボルト８６の螺合相手となっているが、この図のように埋設具１２は、各種金物の取り付けにも使用できる。ここでは、一本の垂直材４１を挟んで二本の水平材５１を十字状に連結することを想定しており、垂直材４１の両側面には、埋設具１２を介して、受け金物７１を背中合わせに取り付ける。そのため垂直材４１の側面には、埋設具１２を埋め込むため、反対側に貫通する下穴４２を上下に二本加工してある。埋設具１２は、凸条２５が形成されたスクリュー部分２１と、環状溝３３が形成された係留軸部分３１で構成され、その中心には、ボルト８６を挿通できるよう、両端面を結ぶ貫通孔２８を設けてある。さらに埋設具１２と下穴４２は、延長を揃えてある。
【００３６】
受け金物７１および掛け金物７２は、垂直材４１と水平材５１との連結を担う角棒状のもので、その一端側には、先細り状のクサビ部７６を形成してあり、他端側には、クサビ部７６を差し込むための保持帯７４を設けてあり、さらに側面には、ボルト８６などを差し込むため、取付孔７５を設けてある。また受け金物７１と掛け金物７２は、いずれも同一形状だが、受け金物７１は、クサビ部７６が上に位置し、且つ垂直材４１の側面に取り付けるが、掛け金物７２は、クサビ部７６が下に位置し、且つ水平材５１の端面中央の縦溝５５の中に取り付ける。そして受け金物７１と掛け金物７２の双方のクサビ部７６を相手方の保持帯７４に差し込むと、両金物が離脱不能に密着する。
【００３７】
埋設具１２を下穴４２の中に埋め込み、下穴４２の出口（図の右側）から接着剤Ａを充填した後、埋設具１２の端面を挟み込むように二個の受け金物７１を配置して、次に一方の取付孔７５からボルト８６を差し込み、その先端を裏側の受け金物７１に到達させ、そこにナット８２を螺合させて締め付けると、二個の受け金物７１が垂直材４１を挟み込むように固定される。さらに二本の水平材５１についても、それぞれの縦溝５５の中に掛け金物７２を取り付ける。なお縦溝５５の奥には、掛け金物７２を取り付けるため、ラグスクリュー６２を埋め込んである。
【００３８】
図４は、図３の垂直材４１と水平材５１を連結した状態である。対向する二本の水平材５１で垂直材４１の側面を挟み込み、十字状の連結部が構成される。また埋設具１２は、スクリュー部分２１と係留軸部分３１により、垂直材４１と強固に一体化しており、受け金物７１と掛け金物７２を強固に保持する。そのほか掛け金物７２は、水平材５１に埋め込まれたラグスクリュー６２と接触しており、双方は短ボルト７７で一体化してある。
【００３９】
図５は、スクリュー部分２１と係留軸部分３１を別途に製造した後、これらをスタッドボルト８８で一体化した埋設具１３を示している。埋設具は、一本の金属棒から製造することもできるが、この図のように、スクリュー部分２１と係留軸部分３１を別途に製造して、これらをスタッドボルト８８で一体化することもできる。スタッドボルト８８を螺合できるよう、両部分の境界面中心には、双方に雌ネジ２７、３７を設ける。そして一方の雌ネジ３７にスタッドボルト８８を螺合させて、回転不能になるまで埋め込み、次に、他方の雌ネジ２７にスタッドボルト８８を螺合させて、緩みがなくなるまで締め付けると、全てが実質的に一体化する。
【００４０】
ここで使用しているスクリュー部分２１は、汎用のラグスクリューの両端面に雌ネジ２６、２７を形成したもので、また係留軸部分３１は、異形棒鋼を切り出したものである。そのため係留軸部分３１の側周面には、縦横にリブ３４が伸びている。このように、スクリュー部分２１と係留軸部分３１を別途に製造した後、双方を一体化することで、汎用品を使いやすくなりコストダウンを期待できる。
【００４１】
図６は、スクリュー部分２１と係留軸部分３１を別途に製造した後、これらを雄ネジ２９と雌ネジ３７で一体化した埋設具１４を示している。ここでも先の図５と同様、スクリュー部分２１と係留軸部分３１は、別途に製造しており、さらにスクリュー部分２１の両端に雄ネジ２２、２９を設けてある。そのうち図の左側の雄ネジ２２は、金物などの取り付けに使用するもので、また右側の雄ネジ２９は、係留軸部分３１との連結に使用する。なおこの雄ネジ２９と螺合できるよう、係留軸部分３１の左側の端面には、雌ネジ３７を設けてある。そして部材への埋め込みに先立ち、雄ネジ２９と雌ネジ３７を螺合させて、スクリュー部分２１と係留軸部分３１を一体化する。
【００４２】
この図の係留軸部分３１は単純な円柱形だが、スクリュー部分２１と一体化する作業や、接着剤Ａとの摩擦を考慮して、その側周面に挟み面３８を設けてある。挟み面３８は、側周面の一部を削ったもので、上下対向するように配置してあり、工具で挟み込むことができる。そして埋設具１４は、図の「施工時」に示すように、その雄ネジ２２を利用して、掛け金物７２の取り付けなどに使用することができる。
【００４３】
図７は、埋設具の形状例を示している。この埋設具１５は、スクリュー部分２１と係留軸部分３１が当初から一体化しており、スクリュー部分２１の胴体２３の側周面からは、凸条２５が突出している。また係留軸部分３１は、胴体２３よりもわずかに直径が小さく、その側周面には、接着剤Ａとの摩擦を増大させるため、螺旋状に伸びるラセン溝３２を形成してある。さらに埋設具１５の中心には、両端面を結ぶ貫通孔２８を設け、その一端側に雌ネジ２６を設けてある。そのほかラセン溝３２の奥（スクリュー部分２１との境界近傍）には、貫通孔２８と外部とを連通する排気孔３９を設けてある。排気孔３９は、貫通孔２８に差し込んだ注射針Ｎで接着剤Ａを充填する際、下穴５２の中に残留した空気を貫通孔２８に誘導して、外部に排出する役割を果たす。
【００４４】
この埋設具１５を水平材５１の下穴５２に埋め込む際は、図の「施工時」に示すように、まず頭部２４に回転を与え、凸条２５を徐々に水平材５１に食い込ませ、埋設具１５の全体を下穴５２に埋め込む。次に、接着剤Ａを供給する注射針Ｎを貫通孔２８に差し込み、その先端を下穴５２の奥に到達させ、接着剤Ａを吐出させると、これが下穴５２の奥を埋め、やがてラセン溝３２に流入する。その際、接着剤Ａで押し出された空気は、排気孔３９から貫通孔２８に流れ込み、外部に放出される。そのため下穴５２の奥や係留軸部分３１の側周面には、隙間なく接着剤Ａが充填され、必要な強度を確保することができる。この図のように、貫通孔２８に注射針Ｎを差し込んで接着剤Ａを充填する方法は、図１のような小孔５４を加工する必要がなく、美観などの面で優れている。
【００４５】
図８は、これまでとは異なる二種類の埋設具１６、１７を示している。図の上方に示す埋設具１６は、貫通孔２８の両端部に雌ネジ２６を形成してあり、両側にボルト８６等を螺合できる。また係留軸部分３１のリブ３４は環状だが、その一箇所には、接着剤Ａの流路となるスリット３６を形成してある。スリット３６の位置は、隣接するリブ３４で上下反転させてある。そのため流動中の接着剤Ａは、都度リブ３４でせき止められ、強制的にリブ３４を半周程度回り込み、隙間を確実に埋めることができる。そのほか、係留軸部分３１の根元付近には、図７の埋設具１５と同様、空気の逃げ道となる排気孔３９を設けてある。
【００４６】
図の下方に示す埋設具１７は、製造工程や接着作業の簡素化を目的として、係留軸部分３１を単純な円柱形として、その側周面にローレット目３５を形成したほか、頭部２４に隣接して係留軸部分３１を配置したものである。ローレット目３５は、接着剤Ａの付着性を向上する役割があり、また転造で比較的簡単に形成できるため、コストダウンを期待できる。さらに、この埋設具１７を部材に埋め込んだ際は、スクリュー部分２１が部材の奥に位置して、係留軸部分３１が部材の表面付近に位置する。そのため接着剤Ａを下穴の入り口から充填でき、作業性に優れている。加えて埋設具１７を埋め込む際、凸条２５により、下穴内周のほぼ全域に螺旋状の切り込みが形成され、その中に接着剤Ａが流れ込むことで、部材と接着剤が噛み合い、係留軸部分３１をより強固に固定することができる。
【００４７】
これまでの各図に示すように、本発明による埋設具は、連結部の構造に依存することなく幅広く汎用的に使用可能である。また、スクリュー部分２１と係留軸部分３１との構成や、係留軸部分３１の詳細形状や、雌ネジ２６や雄ネジ２２の配置などについては、これまでの各図に示した要素を自在に組み合わせることができ、目的に応じて最適な埋設具を使用することができる。
【符号の説明】
【００４８】
１１  埋設具（環状溝と雌ネジを有するもの）
１２  埋設具（環状溝と貫通孔を有するもの）
１３  埋設具（スクリュー部分と係留軸部分をスタッドボルトで一体化したもの）
１４  埋設具（スクリュー部分と係留軸部分を雄ネジと雌ネジで一体化したもの）
１５  埋設具（ラセン溝を有するもの）
１６  埋設具（リブにスリットを有するもの）
１７  埋設具（ローレット目を有するもの）
２１  スクリュー部分
２２  雄ネジ
２３  胴体
２４  頭部
２５  凸条
２６  雌ネジ
２７  雌ネジ（スクリュー部分と係留軸部分との連結用）
２８  貫通孔
２９  雄ネジ（スクリュー部分と係留軸部分との連結用）
３１  係留軸部分
３２  ラセン溝
３３  環状溝
３４  リブ
３５  ローレット目
３６  スリット
３７  雌ネジ（スクリュー部分と係留軸部分との連結用）
３８  挟み面
３９  排気孔
４１  垂直材
４２  下穴
４３  側面孔
５１  水平材
５２  下穴
５４  小孔
５５  縦溝
６１  ラグスクリュー
６２  ラグスクリュー（掛け金物の取り付け用）
６３  中孔
６４  頭部
６５  凸条
７１  受け金物
７２  掛け金物
７４  保持帯
７５  取付孔
７６  クサビ部
７７  短ボルト
８２  ナット
８６  ボルト
８８  スタッドボルト
Ａ    接着剤
Ｎ    注射針
【図１】
2015101902.tif 000003
【図２】
2015101902.tif 000004
【図３】
2015101902.tif 000005
【図４】
2015101902.tif 000006
【図５】
2015101902.tif 000007
【図６】
2015101902.tif 000008
【図７】
2015101902.tif 000009
【図８】
2015101902.tif 000010